(57)【要約】【課題】単に音を聴くだけではなく、身体で体感することによってより音の世界を魅力あるものとして楽しませ、豊な感性を生み出すことの可能な新規の装置を提供する。【解決手段】音響振動体感装置１０は、音響振動源と、この音響振動源を収容する筐体１２と、円盤状の回転ダイヤル１３とを備えている。また、筐体１２には、前後にスリット１２ｓ，１２ｔが形成されている。筐体１２の上部には凸曲面状の第１外面部１２Ｘが形成され、下部には凹曲面状の第２外面部１２Ｙが形成されている。【選択図】　　　　　図１
2004004485.tif 000002
【特許請求の範囲】
【請求項１】
音を発生する音響振動源と、実質的に密閉された収容空間内に前記音響振動源を収納固定する筐体とを有し、
前記筐体には、身体の一部と密着可能な曲面状の外面部が設けられ、
前記音響振動源の発生する音を聞くことができるとともに、前記音響振動源で発生する振動を前記外面部に密着した身体の一部を通して体感できるように構成したことを特徴とする音響振動体感装置。
【請求項２】
前記筐体の少なくとも前記外面部と前記音響振動源を取り付ける取付部との間が剛体で構成されていることを特徴とする請求項１に記載の音響振動体感装置。
【請求項３】
前記音響振動源はオルゴールムーブメントであることを特徴とする請求項１又は請求項２に記載の音響振動体感装置。
【請求項４】
前記筐体は、相互に異なる側に設けられた少なくとも一対の前記外面部を備え、一側の前記外面部が凸曲面状に構成され、他側の前記外面部が凹曲面状に構成されていることを特徴とする請求項１乃至請求項３のいずれか１項に記載の音響振動体感装置。
【請求項５】
前記音響振動源は、音響情報を記録した音響情報記録媒体を装着することによって特定の音響態様を現出可能に構成され、前記筐体には、前記音響情報記録媒体を挿通させるためのスリットが設けられていることを特徴とする請求項１乃至請求項８のいずれか１項に記載の音響振動体感装置。
【請求項６】
前記筐体は、少なくとも１箇所に紐状の把手部材が設けられていることを特徴とする請求項１に記載の音響振動体感装置。
【発明の詳細な説明】
【０００１】
【発明の属する技術分野】
本発明は音響振動体感装置に係り、特に、オルゴールを音響振動源として用いる場合に好適な装置の構造に関する。
【０００２】
【従来の技術】
一般に、オルゴールとしては、公知のオルゴールムーブメントを宝石箱の内部に取り付けたもの、玩具などの内部に取り付けるとともに玩具の可動部をオルゴールムーブメントの鳴奏とともに動作させるようにしたものなどが知られている。ところで、上記従来のオルゴールにおいては、オルゴールムーブメントから空気振動を外部へ伝えることの可能な開放構造を持つことが常識であり、オルゴールムーブメントが箱体に収められている場合はあっても、空気振動を放出するための開口部を有しているか、或いは、開閉自在の蓋体を開いた状態で音を聞くように構成されているものが一般的である。
【０００３】
ここで、身体を支持した状態で身体に密着する部分にスピーカを配置し、当該スピーカから音響を出力するように構成された装置が知られている（以下の特許文献１及び２参照）。これらの装置では、音響に付随する振動を体感することはできるが、身体を支持するための大型の装置として構成されたものであり、気軽に用いることはできない。
【０００４】
【特許文献１】
特開昭５４−１０２１０１号公報
【特許文献２】
実開昭６１−１８４３９０号公報
【０００５】
【発明が解決しようとする課題】
しかしながら、単に音だけを聞く場合には、近年の電子音響機器によって臨場感のある音を聞くことができるため、オルゴールなどの楽器から直接に音を感じるというメリットが近年薄れつつある。
【０００６】
また、子供達においても、楽器などに直接触れて音楽を身体で体感するといった経験が少なくなりつつあり、単に聴覚や視覚だけで音楽に触れる状況が多くなってきているため、音楽に親しみ、十分に楽しむといった機会が減り、音楽の真の楽しさを知らない子供が増えてきているという問題点がある。
【０００７】
そこで本発明は上記問題点を解決するものであり、その課題は、単に音を聴くだけではなく、身体で体感することによってより音の世界を魅力あるものとして楽しませ、豊な感性を生み出すことの可能な新規の装置を提供することにある。
【０００８】
【課題を解決するための手段】
上記課題を解決するために本発明の音響振動体感装置は、音を発生する音響振動源と、実質的に密閉された収容空間内に前記音響振動源を収納固定する筐体とを有し、前記筐体には、身体の一部と密着可能な曲面状の外面部が設けられ、前記音響振動源の発生する音を聞くことができるとともに、前記音響振動源で発生する振動を前記外面部に密着した身体の一部を通して体感できるように構成したことを特徴とする。
【０００９】
この発明によれば、筐体を触ることにより、音響振動源で発生する音を聴きながら振動を体感することができるので、音を触感として感ずることが可能になり、音の世界をより魅力あるものとして楽しませ、喜びを感じさせることができる。特に、筐体に曲面状の外面部が設けられていることにより、当該外面部に密着するように触れることが可能になるため、効率的に振動を体感できるとともに、筐体の感触を良好にすることができる。
【００１０】
本発明において、前記筐体の少なくとも前記外面部は剛体で構成されていることが好ましい。この発明によれば、外面部が剛体で構成されていることにより、外面部に伝達された振動を効率的に体感できる。この場合、特に筐体全体が剛体で構成されていることが振動の減衰を抑制し、強い振動を体感可能とする上で望ましい。また、筺体の少なくとも前記外面部と前記音響振動源を取り付ける取付部との間が剛体で構成されていることが望ましい。これによって音響振動源から外面部までの振動の伝播効率をも向上できる。
【００１１】
本発明において、前記音響振動源はオルゴールムーブメントであることが好ましい。オルゴールムーブメントは、音を発生するとともに、その音に対応する振動を効果的に筐体へ伝達することができるので、振動を体感する振動源としてきわめて有効である。
【００１２】
本発明において、前記筐体は、相互に異なる側に設けられた少なくとも一対の前記外面部を備え、一側の前記外面部が凸曲面状に構成され、他側の前記外面部が凹曲面状に構成されていることが好ましい。この発明によれば、凸曲面状の外面部に掌などを接触させるとともに、凹曲面状の外面部に大腿、胴、腕、頭などを接触させることにより、いずれにおいても密着性を高めることができるため、実質的な接触面積を増大させることが可能になり、さらに効率的に振動を体感できるようになる。この場合、特に一対の前記外面部が相互に対向配置されていること、すなわち、一方の外面部と他方の外面部とが筐体の反対側に設けられていることが望ましい。このようにすると、身体によって筐体を挟み込む状態とすることができるので、筐体に対する接触圧を高め易くなるとともに、筐体を身体のみによって支えることが可能になるので、振動を他の場所に逃がすこともなくなり、音響振動源で発生する振動を効率的に体感することが可能になる。なお、上記一対の外面部の双方が凹曲面状に構成されていてもよく、また、双方が凸曲面状に構成されていてもよい。
【００１３】
本発明において、前記音響振動源は、音響情報を記録した音響情報記録媒体を装着することによって特定の音響態様を現出可能に構成され、前記筐体には、前記音響情報記録媒体を挿通させるためのスリットが設けられていることが好ましい。
【００１４】
本発明において、前記筐体は少なくとも１箇所に紐状の把手部材を設け、把手部材によって搬送することにより、搬送時の落下が防止できる。特に、筐体の外面部を凸曲面状に構成すると滑り易くなり落下の危険性が増す。紐状の把手部材を持つことにより、落下による損傷等を防止することが可能になる。
【００１５】
【発明の実施の形態】
次に、添付図面を参照して本発明に係る音響振動体感装置の実施形態について詳細に説明する。
【００１６】
［第１実施形態］
図１は本発明に係る第１実施形態の音響振動体感装置の外観を示す概略斜視図であり、図２は同装置の長手方向に沿った垂直断面を示す縦断面図、図３は図２と直交する垂直断面を示す縦断面図である。
【００１７】
この音響振動体感装置１０は、オルゴールムーブメント等で構成される音響振動源１１と、この音響振動源１１を収容する筐体１２と、この筐体１２の側方に配置された円盤状の回転ダイヤル１３とを備えている。音響振動源１１は、筐体１２の底板１２Ａ上に固定され、この底板１２Ａは取付部材１２Ｂを介して主枠１２Ｃに取付固定されている。音響振動源１１は、底板１２Ａ、取付部材１２Ｂ及び主枠１２Ｃによって画成され、実質的に密閉された空間内に収納された状態に固定されている。
【００１８】
主枠１２Ｃにはブッシュ等で構成される軸支部１２Ｄが取り付けられている。この軸支部１２Ｄは、後述する回転ダイヤル１３を回転自在に軸支するものである。また、筐体１２には、図３に示すように、前後にスリット１２ｓ，１２ｔが形成されている。これらのスリット１２ｓ，１２ｔは、筐体１２の内外を貫通する水平方向に細長い開口形状を備えている。より具体的には、スリット１２ｓと１２ｔとは主枠１２Ｃの相互に対向する前後両側の壁面にそれぞれ形成されている。
【００１９】
また、図３に示すように、上記取付部材１２Ｂは、上記スリット１２ｓ，１２ｔの内側に、スリット１２ｓから挿入された図１に示すカード１５を音響振動源１１に導くための、カード１５の挿通方向逆向きに開いたテーパ状に傾斜した案内面を有する案内部１２ｋと、音響振動源１１から排出されたカード１５をスリット１２ｔへ導くための、カード１５の挿通方向逆向きに開いたテーパ状に傾斜した案内面を有する案内部１２ｍとを備えている。
【００２０】
回転ダイヤル１３は、円盤状に形成された外部操作部１３Ａと、この外部操作部１３Ａの中心に取り付けられた軸部１３Ｂとを有する。軸部１３Ｂは、上記の軸支部１２Ｄによって回転自在に軸支されている。この軸部１３Ｂは、筐体１２内に導入され、上記の音響振動源１１に接続されている。軸部１３Ｂと音響振動源１１との接続部分は、回転方向には相互に連結されているが、軸線方向には相互に移動可能に構成されている。また、軸部１３Ｂは音響振動源１１に対して挿脱自在に構成されている。軸部１３Ｂは、止め輪（Ｃリング）１３１により軸支部１２Ｄ（すなわち筐体１２）に対して係止されている。上記軸部１３Ｂと音響振動源１１との接続部分は、より具体的には、例えば切り欠き状の係合部１３Ｂａと、音響振動源１１の入力回転軸１１ａに取付固定されたプレート形状等を有する係合部１１ｂとが回転方向に係合している。ここで、係合部１３Ｂａと係合部１１ｂとは軸線方向に移動可能な状態で相互に回転方向に連結されている。係合部１３Ｂａと係合部１１ｂとの間には回転方向にガタを持たせてあることが好ましい。これは、音響振動源１１と底板１２Ａ、底板１２Ａと主枠１２Ｃとの取付誤差による位置ずれを吸収するためである。
【００２１】
音響振動源１１と底板１２Ａとは、ネジ等の固定部材１２１により相互に取付固定されている。また、底板１２Ａはネジ等の固定部材１２２により主枠１２Ｃに対して取付固定されている。したがって、カード１５が筐体１２の内部で絡まった場合などにおいて筐体１２を分解する場合には、固定部材１２２による固定状態を解除することにより、音響振動源１１と底板１２Ａとを一体的に主枠１２及び回転ダイヤル１３から取り外すことができるように構成されている。
【００２２】
外部操作部１３Ａの外面には、回転ダイヤル１３を回転駆動する際に手指を掛けることの可能な凹部１３ａ，１３ｂ，１３ｃが形成されている。回転ダイヤル１３は、筐体１２の隣接部位の外形とほぼ等しい外径を備えていることが好ましい。これによって、回転ダイヤルの外部操作部１３Ａの操作半径を大きく採ることができるため操作性を向上させることができるとともに、回転ダイヤル１３と筐体１２との間のデザイン上の一体感を現出することができる。
【００２３】
本実施形態においては、図１に示すカード１５をスリット１２ｓから挿入すると、カード１５の先端は、案内部１２ｋによって音響振動源１１内に導かれる。ここで、回転ダイヤル１３の外部操作部１３Ａを操作して回転させると、軸部１３Ｂが音響振動源１１を回転駆動し、挿入されたカード１５を読み込みながらカード１５に記録された音情報（旋律）を奏でる。音情報はカード１５に例えば穿孔１５ａとして記録されている。カード１５は音響振動源１１の鳴奏とともに音響振動源１１から排出され、カード１５の先端は上記案内部１２ｍによってスリット１２ｔへと導かれ、スリット１２ｔから図１に示すように排出されていく。
【００２４】
本実施形態では、上記のようにカード１５に記録された音情報に従って音が発生するが、それと同時に、音響振動源１１から音響に対応する振動が筐体１２へと伝わり、その振動が筐体１２の外面で感じられるようになる。筐体１２の外面には、上部に円筒状に構成された第１外面部（具体的には主枠１２Ｃの上部外面）１２Ｘと、下部に矩形枠状に構成された第２外面部（具体的には主枠１２Ｃの矩形枠状の下部外面、すなわち、底板１２Ａの周囲に存在する主枠１２Ｃの下端部の外面部分）１２Ｙとを有している。
【００２５】
本実施形態の筐体１２は、木材、金属、樹脂などの各種素材で形成することができるが、いずれの場合でも剛体となるように構成されている。すなわち、筐体１２は、内部に収納固定された音響振動体１１で発生する振動が伝達されたとき、当該振動がほとんど減衰されることなく外面、例えば上記第１外面部１２Ｘや第２外面部１２Ｙに伝達されるように構成されている。したがって、筐体１２の外面に触れることによって、音響振動体１１の鳴奏とともにその音に対応した振動を体感することができる。
【００２６】
特に、筐体１２は音響振動体１１を実質的に密閉しているため、音響振動体１１で発生した振動は効率的に筐体１２に伝達され、大きな振動エネルギーを外面に与えることとなる。この場合、筐体１２にはスリット１２ｓ，１２ｔが設けられているが、これらのスリットは筐体１２に開口を設けて音を外部へ伝えるためのものではなく、音響的にもほとんど音を外部へ放出する効果がないように構成されている。すなわち、スリットは、実質的に音を外部へ放出できない程度の開口幅を有しているため、上記筐体１２は実質的に音響振動体１１を密閉空間内に収納したものとなっている。筐体１２は、使用状態において開閉できない構造としている。このような密閉構造を実現するために、筐体１２を構成する種々の部材は接着、溶着、ボルトやネジ等の締結具による締結などによって相互に固定されている。
【００２７】
本実施形態の筐体１２は、上部に凸曲面状の第１外面部１２Ｘを有し、下部に凹曲面状の第２外面部を有している。凹曲面状の第２外面部１２Ｙは、例えば、筐体１２を大腿の上に載置させたり、胴の上に載置させたりした場合に、身体との密着性が高く、接触面積が大きくなるため、上記振動を効率的に接触した身体へ伝えることを可能にする。また、凸曲面状の第１外面部１２Ｘは、例えば、第１外面部１２Ｘに触れた掌との密着性が高く、接触面積が大きくなるため、上記振動を効率的に接触した掌へ伝えることを可能にする。したがって、上記第１外面部１２Ｘ及び第２外面部１２Ｙによって音響振動源１１で発生する振動を効果的に体感することができる。
【００２８】
本実施形態の使用態様の一例を挙げれば、例えば、筐体１２を大腿の上に載置して第２外面部１２Ｙを大腿に密着させた状態とし、さらに、筐体１２の上から片方の掌（例えば左の掌）を第１外面部に密着させる。そして、この状態で、他方の手（例えば右手）で回転ダイヤル１３を回転させることによって、カード１５に応じた音楽を聴きながら大腿と片方の掌とによって振動を体感することができる。
【００２９】
一般に、第１外面部１２Ｘと第２外面部１２Ｙとは相互に異なる側に設けられていればよい。例えば、第１外面部が筐体の側面、第２外面部が筐体の底面などである。しかし、本実施形態の場合、第１外面部１２Ｘと第２外面部１２Ｙとが相互に対向する位置（反対側の位置）に設けられているため、身体の２箇所で筐体を挟み込むように触れることができる。したがって、特に振動を効果的に体感することができる。例えば、相互に対向する側から筐体を挟みこむ態様で接触することによって、筐体を身体のみで支えた状態で振動を体感できるため、振動を他に逃がすことがなく、身体のみに伝えることができる。また、同様に筐体を挟み込むようにして触れることにより、筐体の外面にしっかりと触れることができるため、振動に対する感度を高めることができる。
【００３０】
なお、本実施形態において、上記筐体のうち、音響振動源１１を包囲する底板１２Ａ及び主枠２１Ｃを木材で構成することが好ましい。ここで、木材には、合板などのように複数の素材を接着してなる多層構造のものを含む。木材を用いることによって、筐体を均一な剛体として構成することが可能になり、音響振動源１１の発生する音を伝達することが可能になると同時に、振動を効率的に外面に伝えることが可能になり、さらに、柔らかで温かみのある感触を得ることができる。
【００３１】
また、上記筐体１２の回転ダイヤル１３を備えた一側方と反対の他側方には、図１１に示すように、紐状の把手部材７０が設けられている。把手部材７０は可撓性を有する断面円形の紐またはベルトが採用される。把手部材７０は使用者が搬送するときに手を通せる大きさのリング状に形成されている。把手部材７０にはボール７１が挿通されている。ボール７１は例えばスリット１２ｓ、１２ｔよりも大きな外径に形成され、把手部材７０が筐体１２内に入らないようにしている。このボール７１は装飾物として使用することが可能であり、その形状は球状の他、種々のキャラクターの形態として人形、動物等の形状に変更してもよい。把手部材７０は筐体１２の何れかの２箇所に設けてもよい。また、把手部材７０を長尺に形成し、腰への装着或いは肩にかけた状態で筐体１２を身体に接触させて音響振動源の振動を体感してもよい。
【００３２】
［第２実施形態］
図４は本発明に係る第２実施形態の音響振動体感装置の外観を示す概略斜視図であり、図５は同装置の長手方向に沿った垂直断面を示す縦断面図、図６は図２と直交する垂直断面を示す縦断面図である。
【００３３】
本実施形態の音響振動体感装置２０は、上記第１実施形態と同様の第１外面部２２Ｘを備えた音響振動源２１を備えている。この音響振動源２１は、上記第１実施形態とは異なり、カード等を挿入しなくても、音楽を鳴奏することができるように構成されている。
【００３４】
また、この音響振動源２１を収納する筐体２２は、上記第１実施形態と同様の底板２２Ａ、取付部材２２Ｂ及び軸支部２２Ｄを備えているが、主枠２２Ｃには、第１実施形態とは異なり、スリットが形成されていない。このため、上記の音響振動源２１は、筐体２２によってほぼ完全に密閉された空間内に収納されている。
【００３５】
さらに、本実施形態では、底板２２Ａの外側に嵌合するように固定された底側部材２２Ｅを備えている。この底側部材２２Ｅは、筐体２２の底部全体が滑らかな凹曲面状の第２外面部２２Ｙを構成するようにその外面形状が形成されている。
【００３６】
本実施形態の回転ダイヤル２３は、全体としては第１実施形態と同様の円盤状に構成されていて、外部操作部２３Ａと、軸部２３Ｂとを備えている。外部操作部２３Ａの外面上にはその外縁に開いた切り欠き状の凹部２３ａ及び２３ｂが設けられている。軸部２３Ｂは図示を簡略化してあるが、上記第１実施形態と同様に筐体２２の軸支部２２Ｄにより回転自在に軸支されている。
【００３７】
この実施形態では、音響振動源２１は、シリンダタイプのオルゴールムーブメントのように、その内部に音情報を内蔵しており、回転ダイヤル２３の外部操作部２３Ａを回転させるだけで、音を発生するとともに振動を発生するように構成されている。
【００３８】
また、この実施形態においては、音響振動源２１が筐体２２によりほぼ完全に密閉されているため、音響振動源２１で発生した振動が筐体２２に伝達され易く、より効果的に振動を体感できるように構成されている。
【００３９】
さらに、この実施形態では、第２外面部２２Ｙが第１実施形態よりも広く構成され、底面部の全体が凹曲面状の第２外面部２２Ｙを構成するようになっているため、大腿や胴などのように第２外面部２２Ｙが接触した身体の一部により強く振動を伝達することができる。また、第２外面部２２Ｙに密着された身体の一部の触感をより柔らかいものとすることができる。
【００４０】
［その他の実施形態］
次に、上記以外の他の実施形態について説明する。図７に示す音響振動体感装置３０は、筐体３２の両側に一対の回転ダイヤル３３，３４を設けた例を示すものである。回転ダイヤル３３，３４の外部操作部には操作用の凹部３３ａ，３３ｂ，３３ｃ，３３ｄ（回転ダイヤル３４については同様の凹部が設けられるが図示せず。）が形成されている。
【００４１】
ここで、筐体３２、筐体３２内の図示しない音響振動源及びこの音響振動源と上記回転ダイヤル３３，３４との接続態様の基本構造は、スリット３２ｓ，３２ｔ（３２ｓは図示せず）も含め、上記第１実施形態とほぼ同様である。なお、これらの基本構造を第２実施形態と同様に構成してもよい。ただし、回転ダイヤル３３，３４と筐体内部の音響振動源との接続部には、必要に応じて、一方の回転ダイヤルを回転操作している場合には他方の回転ダイヤルに回転を伝達しない一方向クラッチなどを介挿し、或いは、片方の回転ダイヤルの回転方向を被駆動部分に対して反対方向に伝達する歯車機構等で構成される回転方向整合手段を設ける。
【００４２】
図８に示す音響振動体感装置４０では、上記第１実施形態又は第２実施形態とほぼ同様の形状に構成された筐体４２内に、オルゴールムーブメント等で構成される音響振動源４１が密閉された状態で配置されている。また、筐体４２の底部裏面上には、スイッチ等で構成される外部操作部４３が設けられている。この外部操作部４３を操作することによってモータ等の駆動源４１Ｇが稼動し、この駆動源４１Ｇが音響振動源４１を駆動して鳴奏させるように構成されている。
【００４３】
なお、この音響振動体感装置４０において、上記外部操作部４３を回転操作つまみとして設けるとともに、上記駆動源４１Ｇとしてゼンマイを装備し、回転操作つまみによってぜんまいを巻締めることができるように構成してもよい。このようにして巻締められたゼンマイは音響振動源４１を駆動するので、音響振動源４１を上記と同様に鳴奏させることが可能になる。
【００４４】
図９に示す音響振動体感装置５０では、筐体５２の内部に音響振動源５１が収納固定されている。この音響振動源５１は、モータ等の駆動源５１Ｇによって駆動され、鳴奏するように構成されている。駆動源５１Ｇは、スイッチ等で構成される外部操作部５３を操作することによって稼動するようになっている。
【００４５】
この音響振動体感装置５０において、筐体５２の上面が緩やかな凸曲面状の第１外面部５２Ｘとなっている。また、筐体５２の底面には第２外面部５２Ｙが形成されている。この第２外面部５２Ｙは、一対の凹曲面状の外面部分５２Ｙ１，５２Ｙ２を備えている。
【００４６】
音響振動体感装置５０を用いる態様としては、例えば、筐体５２の第１外面部５２Ｘ上に頭を載せ、枕として用いる態様とすることも可能であり、また、両脚を揃えた状態の左右の大腿に上記外面部分５２Ｙ１と５２Ｙ２が密着するように筐体５２を載置した状態で、第１外面部５２Ｘ上に掌を当てるといった態様とすることも可能である。ここで、枕として用いる態様を重視するならば、上面の第１外面部５２Ｘを緩やかな凹曲面状に構成してもよい。また、この装置においては、筐体５２を、剛体ではなく、柔らかな可撓性素材で構成してもよい。
【００４７】
図１０に示す音響振動体感装置６０では、上記図９に示す例と同様の筐体６２の内部に音響振動源６１が収容固定されている。この音響振動源６１は、ゼンマイ等で構成された駆動源６１Ｇで駆動され、鳴奏するように構成されている。駆動源６１Ｇは、操作つまみ等で構成される外部操作部材６３を操作することによって稼動するようになっている。
【００４８】
尚、本発明の音響は、上述の図示例にのみ限定されるものではなく、本発明の要旨を逸脱しない範囲内において種々変更を加え得ることは勿論である。
【００４９】
【発明の効果】
以上、説明したように本発明によれば、音に対する親しみを高めることができ、特に子供に音楽に対する喜びを与えることが可能である。
【図面の簡単な説明】
【図１】本発明に係る音響振動体感装置の第１実施形態の外観を示す概略斜視図である。
【図２】第１実施形態の断面構造を示す縦断面図である。
【図３】図２に示す断面と直交する断面構造を示す縦断面図である。
【図４】本発明に係る音響振動体感装置の第２実施形態の外観を示す概略斜視図である。
【図５】第２実施形態の断面構造を示す縦断面図である。
【図６】図５に示す断面と直交する断面構造を示す縦断面図である。
【図７】異なる実施形態を示す概略斜視図である。
【図８】さらに異なる実施形態を示す概略斜視図である。
【図９】さらに別の実施形態を示す概略斜視図である。
【図１０】さらに別の異なる実施形態を示す概略斜視図である。
【図１１】把手部材を設けた実施形態を示す側面図である。
【図１２】図１１に示す実施形態の正面図である。
【符号の説明】
１０・・・音響振動体感装置、１１・・・音響振動源、１１ｂ・・・係合部、１２・・・筐体、１２Ａ・・・底板、１２Ｂ・・・取付部材、１２Ｃ・・・主枠、１２Ｄ・・・軸支部、１２Ｘ・・・第１外面部、１２Ｙ・・・第２外面部、１３・・・回転ダイヤル、１３Ａ・・・外部操作部、１３Ｂ・・・軸部、１３Ｂａ・・・係合部、１３ａ，１３ｂ，１３ｃ・・・凹部、７０・・・把手部材
【図１】
2004004485.tif 000003
【図２】
2004004485.tif 000004
【図３】
2004004485.tif 000005
【図４】
2004004485.tif 000006
【図５】
2004004485.tif 000007
【図６】
2004004485.tif 000008
【図７】
2004004485.tif 000009
【図８】
2004004485.tif 000010
【図９】
2004004485.tif 000011
【図１０】
2004004485.tif 000012
【図１１】
2004004485.tif 000013
【図１２】
2004004485.tif 000014